(57)【要約】【課題】    冷却装置を搭載させることなく、高電圧変圧器の冷却効率を向上させた高電圧発生装置を搭載したX線撮影装置を提供する。【解決手段】  X線源が被検体の周りを回転しながらＸ線撮影を行なうＸ線撮影装置であって、X線源に電圧を印加する高電圧発生装置に備えられた高電圧変圧器に絶縁油を誘導するオイルポートが設けられ、前記オイルポートは前記X線源の回転面内であって回転方向と直交する方向に沿って配置されることを特徴とする。【選択図】          図6
2014036690.tif 000002
【特許請求の範囲】
【請求項１】
Ｘ線を照射するＸ線源と、前記Ｘ線源に電圧を印加する高電圧発生装置と、前記Ｘ線源を搭載して回転する回転部とを備えたＸ線撮影装置であって、
前記高電圧発生装置は、電圧を昇圧する高電圧変圧器を収納するとともに絶縁油が充填されたタンクを有し、
前記タンクは前記回転部に搭載され、
前記高電圧変圧器は前記絶縁油が流れるオイルポートを備え、
前記オイルポートは、前記回転部の回転面内であって回転方向と直交する方向に沿って配置されることを特徴とするＸ線撮影装置。
【請求項２】
請求項１に記載のＸ線撮影装置において、
前記高電圧変圧器は、鉄心と、前記鉄心に巻きつけられる一次巻線と二次巻線とを備えており、
前記オイルポートが、前記一次巻線と前記二次巻線と前記鉄心のうちの少なくとも一つの近傍に設けられることを特徴とするＸ線撮影装置。
【請求項３】
請求項２に記載のＸ線撮影装置において、
前記オイルポートの一部が、前記二次巻線を支持する巻線支持部となることを特徴とするＸ線撮影装置。
【請求項４】
請求項３に記載のＸ線撮影装置において、
前記巻線支持部が、円筒形状またはラッパ形状であることを特徴とするＸ線撮影装置。
【請求項５】
請求項１乃至４のいずれか一項に記載のＸ線撮影装置において、
前記オイルポートの管内に前記絶縁油の流れを整流する整流部が設けられていることを特徴とするＸ線撮影装置。
【請求項６】
請求項１乃至５のいずれか一項に記載のＸ線撮影装置において、
さらに前記絶縁油を低温と高温とに分流する分流部を備えることを特徴とするＸ線撮影装置。
【発明の詳細な説明】
【技術分野】
【０００１】
本発明は、X線源が被検体の周りを回転しながらX線撮影を行なうX線撮影装置に係り、特にX線撮影装置用の高電圧発生装置内の高電圧変圧器を冷却する技術に関する。
【背景技術】
【０００２】
X線撮影装置は、被検体にX線を照射することにより取得した透過X線量に基づいて被検体のX線画像を作成・表示する装置である。特に、被検体の周囲からX線を照射して取得した様々な角度からの透過X線量に基づいて、被検体の断面画像を再構成・表示する装置はX線CT(Computed Tomography)装置と呼ばれる。
【０００３】
これらのX線撮影装置では、様々な撮影法に対応するために多量のX線を長時間にわたって出力する、いわゆる高負荷率の高電圧発生装置が必要となってきている。また、高電圧発生装置が高負荷率で使用されるのにともない、高電圧発生装置内で発生する熱量も大きくなるので冷却に関する工夫が必要となる。
【０００４】
高電圧発生装置内を冷却する技術として特許文献1には、高電圧発生装置の構成部品である高電圧整流器及び高電圧変圧器とを収納した容器を冷却媒体により満たし、容器に接続された冷却装置により冷却媒体を循環及び冷却するようにした高電圧発生装置が開示されている。
【先行技術文献】
【特許文献】
【０００５】
【特許文献１】特開2003-217895号公報
【発明の概要】
【発明が解決しようとする課題】
【０００６】
しかしながら、X線撮影装置を小型化するには、特許文献1に開示されているような冷却装置を搭載させることは、スペース的にもまたコスト的にも困難である。特にX線CT装置では、被検体が入る開口部をより大きくすることが望まれていることからも、冷却装置を搭載させることは今後さらに困難になる。
【０００７】
そこで本発明の目的は、冷却装置を搭載させることなく、高電圧変圧器の冷却効率を向上させた高電圧発生装置を搭載したX線撮影装置を提供することである。
【課題を解決するための手段】
【０００８】
上記目的を達成するために本発明は、X線源が被検体の周りを回転しながらX線撮影を行なうX線撮影装置であって、X線源に電圧を印加する高電圧発生装置に備えられた高電圧変圧器に絶縁油を誘導するオイルポートが設けられ、前記オイルポートは前記X線源の回転面内であって回転方向と直交する方向に沿って配置されることを特徴とする。
【発明の効果】
【０００９】
本発明によれば、冷却装置を搭載させることなく、高電圧変圧器の冷却効率を向上させた高電圧発生装置を搭載したX線撮影装置を提供することができる。
【図面の簡単な説明】
【００１０】
【図１】本発明のX線CT装置の全体構成を示すブロック図
【図２】本発明のX線制御装置の構成を示すブロック図
【図３】本発明の高電圧発生装置の内部構成を示す斜視図
【図４】第1の実施形態の高電圧変圧器の断面図(図3のA-A断面図)
【図５】第1の実施形態の高電圧変圧器の断面図(図4のB-B断面図)
【図６】第1の実施形態の高電圧変圧器内の対流を説明する断面図(図3のA-A断面図)
【図７】第2の実施形態の高電圧変圧器の断面図(図3のA-A断面図)
【図８】第3の実施形態の高電圧変圧器の断面図(図3のA-A断面図)
【図９】低温と高温とに分流する分流部の説明図
【図１０】本発明のCアーム型X線撮影装置の撮影部の構成を示すブロック図
【発明を実施するための形態】
【００１１】
以下、添付図面に従って本発明の好ましい実施形態について説明する。なお、以下の説明及び添付図面において、同一の機能構成を有する構成要素については、同一の符号を付することにより重複説明を省略することにする。
【００１２】
図1はX線撮影装置の一例であるX線CT装置の全体構成を示すブロック図である。図1に示すようにX線CT装置1は、スキャンガントリ部100と操作ユニット120を備える。
【００１３】
スキャンガントリ部100は、X線管装置101と、回転円盤102と、コリメータ103と、X線検出器106と、データ収集装置107と、寝台装置105と、ガントリ制御装置108と、寝台制御装置109と、X線制御装置110と、入出力装置111を備えている。X線管装置101は寝台装置105上に載置された被検体にX線を照射する装置であって、X線源となる。
【００１４】
コリメータ103はX線管装置101から照射されるX線の放射範囲を制限する装置である。回転円盤102は、寝台装置105上に載置された被検体が入る開口部104を備えるとともに、X線管装置101とX線検出器106を搭載し、被検体の周囲を回転するものである。X線検出器106は、X線管装置101と対向配置され被検体を透過したX線を検出することにより透過X線の空間的な分布を計測する装置であり、多数の検出素子を回転円盤102の回転方向に1次元に配列したもの、あるいは多数の検出素子を回転円盤102の回転方向と回転軸方向との2次元に配列したものである。
【００１５】
データ収集装置107は、X線検出器106で検出されたX線量をデジタルデータとして収集する装置である。ガントリ制御装置108は回転円盤102の回転及び傾斜を制御する装置である。寝台制御装置109は、寝台装置105の上下前後左右動を制御する装置である。X線制御装置110はX線管装置101に入力される電力を制御する装置である。X線制御装置110については、後で詳細に説明する。
【００１６】
操作ユニット120は、入力装置121と、画像処理装置122と、表示装置125と、記憶装置123と、システム制御装置124を備えている。入力装置121は、被検体氏名、検査日時、撮影条件等を入力するための装置であり、具体的にはキーボードやポインティングデバイス、タッチパネル等である。
【００１７】
画像処理装置122は、データ収集装置107から送出される計測データを演算処理してCT画像の再構成を行う装置である。表示装置125は、画像処理装置122で作成されたCT画像等を表示する装置であり、具体的にはCRT(Cathode-Ray Tube)や液晶ディスプレイ等である。記憶装置123は、データ収集装置107で収集したデータ及び画像処理装置122で作成されたCT画像の画像データ等を記憶する装置であり、具体的にはHDD(Hard Disk Drive)等である。システム制御装置124は、これらの装置及びガントリ制御装置108と寝台制御装置109とX線制御装置110を制御する装置である。
【００１８】
入力装置121から入力された撮影条件、特にX線管電圧やX線管電流等に基づきX線制御装置110がX線管装置101に入力される電力を制御することにより、X線管装置101は撮影条件に応じたX線を被検体に照射する。X線検出器106は、X線管装置101から照射され被検体を透過したX線を多数のX線検出素子で検出し、透過X線の分布を計測する。回転円盤102はガントリ制御装置108により制御され、入力装置121から入力された撮影条件、特に回転速度等に基づいて回転する。寝台装置105は寝台制御装置109によって制御され、入力装置121から入力された撮影条件、特にらせんピッチ等に基づいて動作する。
【００１９】
X線管装置101からのX線照射とX線検出器106による透過X線分布の計測が回転円盤102の回転とともに繰り返されることにより、様々な角度からの投影データが取得される。投影データは、各角度を表すビュー(View)と、X線検出器106の検出素子番号であるチャネル(ch)番号及び列番号と対応付けられる。取得された様々な角度からの投影データは画像処理装置122に送信される。画像処理装置122は送信された様々な角度からの投影データを逆投影処理することによりCT画像を再構成する。再構成して得られたCT画像は表示装置125に表示される。
【００２０】
なお、X線CT装置1は、図示されないネットワークを介して、院内のサーバや院外のサーバに接続されていても良く、各サーバから必要なデータを適時読み込んでも良い。
【００２１】
図2を用いてX線制御装置110について説明する。X線制御装置110は、コンバータ201とインバータ202と高電圧変圧器203と高電圧整流器204とを備えている。コンバータ201は、交流電源200に接続されており、交流電源200の交流電圧を直流電圧に変換する装置である。インバータ202は、コンバータ201に接続されており、コンバータ201から出力される直流電圧を交流電圧に変換する装置である。インバータ202から出力される交流電圧は、交流電源200から出力される交流電圧より高い周波数を有している。
【００２２】
高電圧変圧器203は、インバータ202に接続されており、インバータ202から出力される交流電圧を昇圧する装置である。高電圧整流器204は、高電圧変圧器203に接続されており、高電圧変圧器203で昇圧された交流電圧を直流電圧に整流する。高電圧整流器204の出力端はX線管装置101に接続されており、高電圧整流器20から出力される直流電圧がX線管装置101に印加されることにより、X線管装置101からX線が照射される。なお、高電圧変圧器203と高電圧整流器204とをまとめて高電圧発生装置205と呼ぶ。X線制御装置110のうち、少なくとも高電圧発生装置205が回転円盤102に搭載されればよく、インバータ204とコンバータ203とは回転円盤102に搭載されてもされなくても良い。
【００２３】
｛第1の実施形態｝
本発明の要部である高電圧変圧器203とその周辺の詳細構成について説明する。
【００２４】
図3を用いて高電圧発生装置205の内部の概略構成について説明する。図3は高電圧発生装置205の斜視図であり、説明のため手前側を開放させている。高電圧変圧器203と高電圧整流器204は、タンク300の中に図3に示すように収納される。タンク300内には、タンク300内の放電を抑制するために絶縁油が充填される。絶縁油は高電圧変圧器203と高電圧整流器204とを冷却する冷却媒体の役割も果す。タンク300は取り付け面301を介して、回転円盤102に搭載される。高電圧発生装置205は、回転円盤102の回転にともない、矢印302の方向に回転し、矢印303の方向の遠心力を受ける。以降の説明では、矢印303を遠心力の方向として説明する。
【００２５】
図4を用いて高電圧変圧器203の構造について説明する。図4は、タンク300内の高電圧変圧器203の断面図であり、図3のA-A断面図である。タンク300内には、フレーム400に固定された高電圧変圧器203が収納されている。高電圧変圧器203は、締め付け金具401と鉄心402と一次巻線403と二次巻線404と巻線支持部405と第一の巻枠406と第二の巻枠407とオイルポート408とを備えている。以下、高電圧変圧器203の各構成部について説明する。
【００２６】
鉄心402は、複数のけい素鋼板が図4の紙面と直交する方向、すなわち回転円盤102の回転面と直交する方向に積層されて構成され、2つの脚部を有する。鉄心402の2つの脚部には円筒形状を有する第一の巻枠406がそれぞれ設けられ、第一の巻枠406に一次巻線403が巻き付けられる。一次巻線403の上にはさらに第二の巻枠407が設けられ、第二の巻枠407に二次巻線404が巻き付けられる。一次巻線403と二次巻線404とは樹脂でモールドされた巻線であっても良い。なお図4では、一次巻線403と二次巻線404をハッチングで示している。
【００２７】
締め付け金具401は、フレーム400に固定されており、鉄心402及び一次巻線403を図4中の上下方向から支持する。締め付け金具401には巻線支持部405が強固に固定されており、巻線支持部405は二次巻線404を支持する。特に、二次巻線404が遠心力によって位置ずれしないように、巻線支持部405は遠心力の方向303において二次巻線404の一部と重なるように配置される。巻線支持部405の材質は、鉄心402と二次巻線404と締め付け金具401との絶縁を保つために、絶縁材料であることが好ましく、さらに絶縁油中に配置されるので耐油性があることが望ましい。
【００２８】
フレーム400には、半円筒形状をした半円筒部400aが図4の紙面と直交する方向、すなわち回転円盤102の回転面と直交する方向に沿って設けられている。半円筒部400aは二次巻線404との近傍に設けられることが好ましい。
【００２９】
高電圧変圧器203では、一次巻線403に交流電流が流れることにより鉄心402内に変動磁場が発生し、鉄心402内の変動磁場により二次巻線404に起電力が生じる。このとき、一次巻線403および二次巻線404で生じる銅損と、鉄心で生じる鉄損により、高電圧変圧器203は発熱する。すなわち、一次巻線403と二次巻線404と鉄心402とが主たる発熱源となる。本実施形態では、これらの発熱源を効率的に冷却するために、一次巻線403と二次巻線404と鉄心402の少なくとも一つの近傍において、絶縁油が対流するためのオイルポート408が設けられる。
【００３０】
図5を用いて本実施形態のオイルポート408について説明する。図5は図4のB-B断面図であり、回転円盤102の径方向、すなわち回転径方向と直交する断面である。なお、回転径方向とは回転面内であって回転方向と直交する方向である。また図を見やすくするために鉄心402の一方の脚部の周辺のみを図5に示しており、本図においても一次巻線403と二次巻線404をハッチングで示している。第一の巻枠406及び第二の巻枠407には、図5の紙面と直交する方向、すなわち回転円盤102の径方向にそってオイルポート408が複数も設けられている。第一の巻枠406及び第二の巻枠407に設けられたオイルポート408の断面形状は、図5では円形であるが、これに限定されず、例えば楕円形や矩形であっても良い。また、本実施形態では、一次巻線403と第二の巻枠407との間にもオイルポート408となる隙間が、図5の紙面と直交する方向、すなわち回転円盤102の径方向に沿って設けられている。
【００３１】
図6を用いて、図5を用いて説明したオイルポート408により、絶縁油がいかようにして対流するかについて説明する。図6は図4と同じ構成図であり、図3のA-A断面図である。なお、図面を見やすくするために図4で使用した符号を削除している。
【００３２】
回転円盤102の回転中に高電圧変圧器203が発熱すると、発熱源からの熱伝達により暖められた絶縁油は比重が軽くなるため、遠心力の方向303とは逆方向に移動し、矢印601のような対流をオイルポート408に沿って生じさせる。また、矢印302の方向への回転円盤102の回転にともない、絶縁油は矢印602の方向へ回転対流する。矢印601や矢印602の方向の対流を妨げなければ、絶縁油による高電圧変圧器203の冷却が効率的に行われる。
【００３３】
本実施形態では、オイルポート408が遠心力の方向303、すなわち回転径方向と平行に設けられており、暖められた絶縁油の対流が妨げられないので、高電圧変圧器203の冷却が促進される。特に、オイルポート408が、第一の巻枠406及び第二の巻枠407や、一次巻線403と第二の巻枠407との間に設けられているので、発熱源の近傍を絶縁油が対流することになり、熱伝達がより効率的に行われる。また、半円筒部400aが二次巻線404との近傍に設けられると、二次巻線404の近傍において絶縁油の流速が速くなるので、より効率的に冷却することができる。なお、ここでいう「回転径方向と平行」とは、厳密な意味での平行ではなく、わずかな角度のずれを有するものも含むものとし、矢印601の方向の対流を実質的に妨げなければよい。
【００３４】
以上説明したように、回転径方向に沿ってオイルポートが設けられることにより、冷却装置を搭載させることなく、高電圧変圧器の冷却効率を向上させた高電圧発生装置を提供すること、並びにその高電圧発生装置を搭載したX線撮影装置を提供することができる。
【００３５】
｛第2の実施形態｝
図7を用いて第2の実施形態について説明する。なお、第1の実施形態と同じ構成については説明を省略する。本実施形態では、巻線支持部の形状が第1の実施形態とは異なっており、巻線支持部によりオイルポートが形成される。図7は、図4と同様に、タンク300内の高電圧変圧器203の断面図であり、図3のA-A断面図である。なお、図面を見やすくするために図4で使用した符号を削除しており、図4と異なる構成について新たに符号を付けている。
【００３６】
本実施形態の巻線支持部700は円筒形状を有している。円筒形状の中心は鉄心402の一つの脚部の中心と一致し、円筒形状の軸方向は遠心力の方向303、すなわち回転径方向と平行に設定される。巻線支持部700がこのような形状を有することにより、巻線支持部700がオイルポート408の役割を果すことになる。なお、ここでいう「回転径方向と平行」も第1の実施形態と同じ意味を有する。
【００３７】
また、本実施形態では、巻線支持部700と一次巻線403との間にはスクリュープロペラ701が設けられてもよい。スクリュープロペラ701は矢印702の方向に回転可能に配置されており、タンク300内の絶縁油の対流が生じることにより回転する。スクリュープロペラ701が回転することにより、絶縁油の対流は整流されるので、スクリュープロペラ701は絶縁油の流れを整流する整流部として機能する。整流部を備えることにより乱流の発生を低減できるので、冷却効率をより向上させることができる。特に、一次巻線403の近傍を流れる絶縁油に対してその効果が発揮される。
【００３８】
以上説明したように、本実施形態においても、回転径方向に沿ってオイルポートが設けられるので、冷却装置を搭載させることなく、高電圧変圧器の冷却効率を向上させた高電圧発生装置を提供すること、並びにその高電圧発生装置を搭載したX線撮影装置を提供することができる。
【００３９】
｛第3の実施形態｝
図8を用いて第3の実施形態について説明する。なお、第1の実施形態と同じ構成については説明を省略する。本実施形態では、巻線支持部の形状が第1の実施形態とは異なっており、第2の実施形態と同様に、巻線支持部によりオイルポートが形成される。図8は、図4及び図7と同様に、タンク300内の高電圧変圧器203の断面図であり、図3のA-A断面図である。なお、図面を見やすくするために図4で使用した符号を削除しており、図4と異なる構成について新たに符号を付けている。
【００４０】
本実施形態の巻線支持部800は円錐台の内部をより小さな円錐台でくりぬいた形状、いわゆるラッパ形状を有している。ラッパ形状の中心は鉄心402の一つの脚部の中心と一致し、ラッパ形状の軸方向は遠心力の方向303、すなわち回転径方向と平行に設定される。なお、ここでいう「回転径方向と平行」も第1の実施形態と同じ意味を有する。巻線支持部800がこのような形状を有することにより、巻線支持部800がオイルポート408の役割を果すことになる。また、巻線支持部800によって形成されるオイルポート408の断面積が回転径方向に沿って異なり、二次巻線404の近傍で小さくなる。このような断面積の違いにより、二次巻線404の近傍で絶縁油の流速が速くなるので、二次巻線404を効率よく冷却できる。さらに、第2の実施形態に比べて、二次巻線404と鉄心402あるいは締め付け金具401との沿面距離を長くできるので、沿面放電のリスクを低減できる。
【００４１】
また、本実施形態でも、第2の実施形態と同様に、巻線支持部800と一次巻線403との間にスクリュープロペラ701が設けられてもよい。スクリュープロペラ701は矢印702の方向に回転可能に配置されており、タンク300内の絶縁油の対流が生じることにより回転する。スクリュープロペラ701が回転することにより、絶縁油の対流は整流され、乱流の発生を低減できるので、冷却効率をより向上させることができる。
【００４２】
以上説明したように、本実施形態においても、回転径方向に沿ってオイルポートが設けられるので、冷却装置を搭載させることなく、高電圧変圧器の冷却効率を向上させた高電圧発生装置を提供すること、並びにその高電圧発生装置を搭載したX線撮影装置を提供することができる。
【００４３】
｛第4の実施形態｝
図9を用いて第4の実施形態について説明する。本実施形態では、オイルポートに誘導される絶縁油を低温と高温とに分流し、低温の絶縁油を冷却したい箇所に流入させることにより冷却効率をさらに向上させる。なお、第1乃至3の実施形態との違いは、絶縁油を低温と高温とに分流する分流部を備えることであるので、以降では分流部について説明する。
【００４４】
図9は分流部900の概略図である。分流部900は、流入口901と低温流出口902と高温流出口903とを備えている。流入口901は、タンク300内を対流してきた絶縁油が流入する流路であり、低温流出口902と高温流出口903に接続される。流入口901と低温流出口902、高温流出口903との接続部において、低温流出口902は遠心力の方向303に向けて配管され、高温流出口903は遠心力の方向303とは逆向きに配管される。
【００４５】
絶縁油の流れについて説明する。絶縁油が流入口901から矢印905の方向に流れると、流入口901と低温流出口902、高温流出口903との接続部において、遠心力の作用により、比重の重い絶縁油は矢印906の方向に流れ、比重の軽い絶縁油は矢印906の方向に流れる。低温の絶縁油は比重の重く、高温の絶縁油は比重の軽いので、低温の絶縁油は矢印906の方向に流れ、高温の絶縁油は矢印907の方向に流れる。つまり、図9のような構造の分流部900により、絶縁油を低温と高温とに分流することができる。
【００４６】
本実施形態では、低温流出口902をオイルポート408に接続し、高温流出口903をオイルポート408以外の箇所に配置する。このようにすることにより、低温の絶縁油を発熱源の近傍に導くことができるので冷却効率をさらに向上させることができる。
【００４７】
また、流入口901と低温流出口902と高温流出口903との管内に逆流を防止するための弁904を設けてもよい。弁904を適切な位置に配置することにより、冷却効率をさらに向上させることができる。
【００４８】
以上説明したように、本実施形態では対流する絶縁油を低温と高温とに分流することができ、低温の絶縁油を冷却したい箇所に導くことができるのでより効率よく高電圧変圧器を冷却することができる。
【００４９】
以上、複数の実施形態について、X線CT装置1をX線撮影装置の一例として説明したが、回転部を備えるX線撮影装置であれば本発明を適用することは可能である。ここで、X線CT装置1以外のX線撮影装置について説明する。
【００５０】
図10は、本発明が適用されるX線撮影装置の他の例であるCアーム型X線撮影装置1000の撮影部1100の構成を示すブロック図である。なお、Cアーム型X線撮影装置1000にも、X線CT装置1と同様の操作ユニットが備えられるが、操作ユニットの説明は省略する。
【００５１】
Cアーム型X線撮影装置1000は、被検体1001のX線透過像を様々な角度から取得する装置であり、X線透過像の撮影を実行する撮影部1100を備えている。撮影部1100は、X線管装置1101とコリメータ1102と寝台1103とX線検出器1104とC型形状アーム1105とアーム移動機構1106を備える。
【００５２】
X線管装置1101は被検体1001にX線を照射する装置であって、X線源となる。コリメータ1102はX線管装置1101から照射されるX線の照射範囲を制御する装置であって、照射範囲の形状を円形や四角形あるいは多角形にする。X線検出器1104は被検体を透過したX線を検出する装置であり、具体的にはTＦT素子を用いたフラットパネルディテクター(ＦＰＤ)や、X線イメージインテンシファイア(X線ＩＩ)とCCDテレビカメラとを組み合わせたX線ＩＩカメラ等である。C型形状アーム1105はX線管装置1101とX線検出器1104とを対向させた位置で支持するものであり、図10に示したようにC型形状を有している。アーム移動機構1106はC型形状アーム1105を回転可能に支持しており、図10中のＡ方向やＢ方向にC型形状アーム1105を回転させる。
【００５３】
C型形状アーム1105には実施形態1乃至4で説明した高電圧変圧器203が搭載される。このとき、オイルポート408がC型形状アーム1105の回転面内であって回転方向と直交する方向と平行になるように高電圧変圧器203はC型形状アーム1105に搭載される。このようにオイルポート408が配置されることにより、暖められた絶縁油の対流が妨げられないので、高電圧変圧器203の冷却が促進される。
【００５４】
以上、本発明の複数の実施形態について説明したが、各実施形態を適宜組み合わせても良い。例えば、時第4の実施形態で説明した弁904の代わりに第2及び第3の実施形態で説明したスクリュープロペラ701を用いても良い。また、本発明は実施形態の記載に限定されるものではない。
【符号の説明】
【００５５】
1  X線CT装置、100  スキャンガントリ部、101  X線管装置、102  回転円盤、103  コリメータ、104  開口部、105  寝台、106  X線検出器、107  データ収集装置、108  ガントリ制御装置、109  寝台制御装置、110  X線制御装置、120  操作卓、121  入力装置、122  画像演算装置、123  記憶装置、124  システム制御装置、125  表示装置、201  コンバータ、202  インバータ、203  高電圧変圧器、204:高電圧整流器、205:高電圧発生装置、300:タンク、301  取り付け面、302  矢印(回転方向)、303  矢印(遠心力の方向)、400:フレーム、400a  半円筒部、401  締め付け金具、402:鉄心、403:一次巻線、404:二次巻線、405  巻線支持部、406:第一の巻枠、407:第二の巻枠、408  オイルポート、601  矢印(熱伝達にともなう対流の方向)、602  矢印(回転対流の方向)、700  巻線支持部、701  スクリュープロペラ、702  矢印(スクリュープロペラの回転方向)、800  巻線支持部、900  分流部、901  流入口、902  低温流出口、903  高温流出口、904  弁、905  矢印(流入する絶縁油の流れ)、906  矢印(低温絶縁油の流れ)、907  矢印(高温絶縁油の流れ)、1000  Cアーム型X線撮影装置、1001  被検体、1100  撮影部、1101  X線管装置、1102  コリメータ、1103:寝台、1104  X線検出器、1105  C型形状アーム、1106  アーム移動機構
【図１】
2014036690.tif 000003
【図２】
2014036690.tif 000004
【図３】
2014036690.tif 000005
【図４】
2014036690.tif 000006
【図５】
2014036690.tif 000007
【図６】
2014036690.tif 000008
【図７】
2014036690.tif 000009
【図８】
2014036690.tif 000010
【図９】
2014036690.tif 000011
【図１０】
2014036690.tif 000012